(57)【特許請求の範囲】
【請求項１】
ネットワーク接続端子と、
映像信号を受信する受信部と、
前記受信部で受信した映像信号に所定の信号処理を施す信号処理部と、
前記信号処理部で所定の信号処理が施された映像信号を表示する映像表示部と、
前記信号処理部からの出力信号を記録する記録再生装置と、
装置本体で録画する番組の録画予約情報を管理する装置本体録画情報管理部と、
前記装置本体録画情報管理部の録画予約情報に基づいて、前記記録再生装置に予約番組を録画させる録画制御部と、
前記ネットワーク接続端子を介して接続されている他の記録再生装置の録画予約情報を管理する他装置録画情報管理部と、
前記装置本体で録画する番組のための録画予約情報が入力されたとき、前記他の記録再生装置の録画予約情報をチェックし、重複番組があるとき前記映像表示部に状況を表示する録画情報チェック部と、
を有することを特徴とする映像表示処理装置。
【請求項２】
前記他装置録画情報管理部は、他の記録再生装置の録画予約情報が送られてきたとき記憶している録画予約情報を更新することを特徴とする請求項１記載の映像表示処理装置。
【請求項３】
装置本体録画情報管理部は、電源がオンしたとき又は装置本体で録画する番組の録画予約情報が変更若しくは追加されたときに、新しい録画予約情報を前記他の記録再生装置へ伝送することを特徴とする請求項１記載の映像表示処理装置。
【請求項４】
前記装置本体は、記録再生装置を有するテレビジョン放送受信装置、若しくはパーソナルコンピュータ、若しくは専用記録再生装置のいずれかであることを特徴とする請求項１記載の映像表示処理装置。
【請求項５】
前記録画情報チェック部が、前記他の記録再生装置の録画予約情報をチェックし、重複番組があることが前記映像表示部で状況表示されたとき、
前記装置本体録画情報管理部に強制的に録画予約を設定する強制録画予約設定部を有する請求項１記載の映像表示処理装置。
【請求項６】
前記録画情報チェック部が、前記他の記録再生装置の録画予約情報をチェックし、重複番組があることが前記映像表示部で状況表示されたとき、
前記他の記録再生装置に前記重複番組の録画及び保存管理を委託する委託処理部を有した請求項１記載の映像表示処理装置。
【請求項７】
ネットワーク接続端子と、映像信号を受信する受信部と、前記受信部で受信した映像信号に所定の信号処理を施す信号処理部と、前記信号処理部で所定の信号処理が施された映像信号を表示する映像表示部と、前記信号処理部からの出力信号を記録する記録再生装置と、装置本体で録画する番組の録画予約情報を管理する装置本体録画情報管理部と、前記装置本体録画情報管理部の録画予約情報に基づいて、前記記録再生装置に予約番組を録画させる録画制御部と、動作を統括する制御部を有した録画に関する情報の処理方法において、
前記ネットワーク接続端子を介して接続されている他の記録再生装置の録画予約情報を受け取り、
前記他の記録再生装置の録画予約情報を他装置録画情報管理部にて管理し、
前記装置本体で録画する番組のための録画予約情報が入力されたとき、前記他の記録再生装置の録画予約情報をチェックし、重複番組があるとき前記映像表示部に状況を表示する
を有することを特徴とする録画に関する情報の処理方法。
【請求項８】
前記他の記録再生装置の録画予約情報が送られてきたとき、記憶している録画予約情報を更新することを特徴とする
請求項７記載の録画に関する情報の処理方法。
【請求項９】
電源がオンしたとき又は装置本体で録画する番組の録画予約情報が変更若しくは追加されたときに、新しい録画予約情報を前記他の記録再生装置へ伝送することを特徴とする
請求項７記載の録画に関する情報の処理方法。
【請求項１０】
前記録画情報チェック部が、前記他の記録再生装置の録画予約情報をチェックし、重複番組があることが前記映像表示部で状況表示されたとき、前記他の記録再生装置に前記重複番組の録画及び保存管理を委託したことを記憶することを特徴とする
請求項７記載の録画に関する情報の処理方法。
【発明の詳細な説明】
【技術分野】
【０００１】
この発明は、映像表示処理装置及び録画に関する情報の処理方法に関するもので、特に、ネットワーク接続される複数の記録再生装置の録画状況及び録画予約状況を管理できるようにしたものである。
【背景技術】
【０００２】
周知のように、近年では、テレビジョン放送のデジタル化が推進されてきている。例えば、日本国内においては、ＢＳ（broadcasting satellite）デジタル放送及び１１０度ＣＳ（communication satellite）デジタル放送等の衛星デジタル放送だけでなく、地上デジタル放送も開始されている。
【０００３】
そして、テレビジョン放送を受信するテレビジョン放送受信装置には、自動録画機能が設けられている。自動録画機能は、電子番組案内（ＥＰＧ）情報を用いて作成した番組録画予約情報を参照する。そして、自動録画機能は、予約番組が放送される時間になると、自動的に指定されている記録再生装置（例えばＨＤＤ（hard disk drive））をオンし、放送番組を記録させる。
【０００４】
また近年では、家庭内のデジタル装置のネットワーク化が進んでいる。このためにデジタルテレビジョン放送受信装置に対して、ルーターを利用した家庭内のＬＡＮ（ローカルエリアネットワーク）を介して複数の記録再生装置を接続することも可能である。また第２のテレビジョン放送受信装置を接続することも可能である。
【０００５】
上記のような環境であると、家庭内で、同一のコンテンツを別々の記録再生装置に保存してしまう事がある。このような事態をなくすために保存記録媒体を有するサーバーに、共有コンテンツを一元管理し、複数の記録再生装置からのアクセスを可能としたクライアントサーバーシステムがある（例えば特許文献１参照）
【特許文献１】特開2000-235546号公報
【発明の開示】
【発明が解決しようとする課題】
【０００６】
上記の録画機器のシステムでは記録媒体を有するサーバーに共有コンテンツを一元管理することを前提としている。
【０００７】
家庭内環境、オフィス環境等においてパーソナルコンピュータ（ＰＣ）、テレビジョン放送受信装置（ＴＶ）、専用の記録再生装置などがネットワーク接続される場合に、それぞれの機器が録画機能を有して同一メディア（例:地上A,地上D,BS,CS,ブロードバンド、音楽等）を記録できる。その場合、それぞれの機器に対して、異なるユーザーが同一メディアの同じ番組(コンテンツ)を、それぞれ異なる録画機器に録画予約を行い、それぞれの機器の記録媒体に同じ番組が存在する事が考えられる。
【０００８】
限られた記録媒体を有効に使う場合は、同一の番組が異なる記録媒体にそれぞれ複数記録されるのは好ましくない。また、異なる放送メディアにおいても、同一の番組が存在するので、さらに無駄に録画される可能性が高くなる。その他、有料チャンネル等をそれぞれのユーザーが予約するような事態が発生すると費用もその分膨らむ事になる。
【０００９】
そこでこの発明は、個々に記憶媒体をもった複数の記録再生装置において、各記録再生装置で番組の録画あるいは録画予約が行われるときに、録画しようとする番組の重複をユーザに知らせることができる映像表示処理装置及び録画に関する情報の処理方法を提供することを目的とする。
【００１０】
また、録画しようとする番組、或いは録画予約されている番組の実際の録画を他の記録再生装置に委託することができる映像表示処理装置及び録画に関する情報の処理方法を提供することを目的とする。
【課題を解決するための手段】
【００１１】
この発明は、上記の問題を解決するために、ネットワーク接続端子と、映像信号を受信する受信部と、前記受信部で受信した映像信号に所定の信号処理を施す信号処理部と、前記信号処理部で所定の信号処理が施された映像信号を表示する映像表示部と、前記信号処理部からの出力信号を記録する記録再生装置と、装置本体で録画する番組の録画予約情報を管理する装置本体録画情報管理部と、前記装置本体録画情報管理部の録画予約情報に基づいて、前記記録再生装置に予約番組を録画させる録画予約情報処理部と、前記ネットワーク接続端子を介して接続されている他の記録再生装置の録画予約情報を管理する他装置録画情報管理部と、装置本体で録画する番組のための録画予約情報が入力されたとき、前記他の記録再生装置の録画予約情報をチェックし、重複番組があるとき前記映像表示部に状況を表示する録画情報チェック部と、を有した。また、前記他装置録画情報管理部では、他の記録再生装置の録画予約情報を更新する。
【発明の効果】
【００１２】
上記の手段により、個々に記憶媒体をもった複数の記録再生装置において、各記録再生装置で番組の録画あるいは録画予約が行われるときに、録画しようとする番組の重複をユーザに知らせることができる記録媒体の有効な活用が可能である。
【発明を実施するための最良の形態】
【００１３】
以下、図面を参照しながらこの発明の実施の形態を説明する。まずこの発明が適用された複数の装置がネットワークを構築している例を示す。
【００１４】
図１に示すようにデジタルテレビジョン放送受信装置１１Ａ、１１Ｂ、ハードディスク装置（ＨＤＤ）及びデジタルバーサタイルディスク（ＤＶＤ）、チューナを内蔵した専用記録再生装置１１Ｃは、家庭内のルーター９９を介して相互通信できるように接続されている。またルーター９９は、有線接続機能を有すると共に、無線接続機能も有する。したがって、例えばパーソナルコンピュータ１１Ｄが無線ＬＡＮを介して、各装置と相互通信を行なうことができる。また、ルーター９９を介して、各装置は、インターネットに接続することも可能である。１７Ａ、１７Ｂ，１７Ｃはそれぞれテレビジョン放送受信装置１１Ａ，１１Ｂ、専用記録再生装置１１Ｃを操作するためのリモートコントローラである。
【００１５】
上記した各装置１１Ａ，１１Ｂ，１１Ｃ，１１Ｄは、それぞれが番組録画予約機能を有する。そして、それぞれの装置１１Ａ，１１Ｂ，１１Ｃ，１１Ｄは、録画予約情報の同じ内容のものを独立して所有することができる。この録画予約情報管理部については、さらに後で説明することにする。
【００１６】
図２には、上記のデジタルテレビジョン受信装置１１Ａの概観を示している。ＡＶ−ＨＤＤ４１は、支持台１３内に内蔵されている。
【００１７】
図３は、この実施の形態で説明するデジタルテレビジョン放送受信装置１１の外観と、このデジタルテレビジョン放送受信装置１１Ａを中心として構成されるネットワークシステムの一例を概略的に示している。
【００１８】
デジタルテレビジョン放送受信装置１１Ａは、薄型のキャビネット１２と、このキャビネット１２を起立させて支持する支持台１３とから構成されている。キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１９】
また、このデジタルテレビジョン放送受信装置１１Ａには、例えばＳＤ（Secure Digital）メモリカード、ＭＭＣ（Multimedia Card）及びメモリスティック等の第１のメモリカード１９が着脱可能となっており、この第１のメモリカード１９に対して番組や写真等の情報の記録再生が行なわれるようになっている。
【００２０】
さらに、このデジタルテレビジョン放送受信装置１１Ａには、例えば契約情報等の記録された第２のメモリカード（ＩＣカード）２０が着脱可能となっており、この第２のメモリカード２０に対して情報の記録再生が行なわれるようになっている。
【００２１】
また、このデジタルテレビジョン放送受信装置１１Ａは、第１のＬＡＮ（Local Area Network）端子２１、第２のＬＡＮ端子２２、ＵＳＢ（Universal Serial Bus）端子２３及びｉ．Link端子２４を備えている。
【００２２】
このうち、第１のＬＡＮ端子２１は、ＬＡＮ対応ＨＤＤ専用ポートとして使用される。この第１のＬＡＮ端子２１に接続されたＮＡＳ（Network Attached Storage）であるＬＡＮ対応のＨＤＤ２５に対して、イーサネット（登録商標）により情報の記録再生を行なうために使用される。
【００２３】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことが可能となる。
【００２４】
また、第２のＬＡＮ端子２２は、イーサネット（登録商標）を用いた一般的なＬＡＮ対応ポートとして使用される。この第２のＬＡＮ端子２２は、例えばハブ２６を介して、ＬＡＮ対応のＨＤＤ２７、ＰＣ（Personal Computer）２８、ＨＤＤ内蔵のＤＶＤ（Digital Versatile Disk）レコーダ２９等の機器を接続し、これらの機器と情報伝送を行なうために使用される。
【００２５】
なお、ＤＶＤレコーダ２９については、第２のＬＡＮ端子２２を介して通信されるデジタル情報が制御系の情報であるため、デジタルテレビジョン放送受信装置１１Ａとの間でアナログの映像及び音声情報を伝送するために、専用のアナログ伝送路３０を設ける必要がある。
【００２６】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２７】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等を接続し、これらの機器と情報伝送を行なうために使用される。
【００２８】
上記ｉ．Link端子２４は、例えばＡＶ−ＨＤＤ４１、Ｄ（Digital）−ＶＨＳ（Video Home System）４２等をシリアル接続し、これらの機器と情報伝送を行なうために使用される。
【００２９】
ここでｉ．Link端子２４に接続された、ＡＶ−ＨＤＤ４１は、図面ではデジタルテレビジョン放送受信装置１１Ａの外に記載されているが、実際には支持台１３に内蔵されている。つまりＡＶ−ＨＤＤ４１は、デジタルテレビジョン放送受信装置１１と一体となっている。
【００３０】
図４は、上記したデジタルテレビジョン放送受信装置１１Ａの主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００３１】
チューナ４５で選局された放送信号は、ＰＳＫ（Phase Shift Keying）復調器４６に供給されて、デジタルの映像信号及び音声信号に復調された後、信号処理部４７に出力される。
【００３２】
また地上波アナログ信号を受信するアナログチューナ６８も設けられている。アナログチューナ６８で受信された信号は、アナログ復調器６９で復調され信号処理部４７に出力される。
【００３３】
また、地上デジタル放送受信用のアンテナ４８で受信した地上デジタルテレビジョン放送信号は、入力端子４９を介して地上デジタル放送用のチューナ５０に供給されることにより、所望のチャンネルの放送信号が選局される。
【００３４】
チューナ５０で選局された放送信号は、ＯＦＤＭ（Orthogonal Frequency Division Multiplexing）復調器５１に供給されて、デジタルの映像信号及び音声信号に復調された後、上記信号処理部４７に出力される。
【００３５】
ここで、上記信号処理部４７は、ＰＳＫ復調器４６から供給されたデジタルの映像信号及び音声信号と、ＯＦＤＭ復調器５１から供給されたデジタルの映像信号及び音声信号と、アナログ復調器６９から供給された映像信号及び音声信号と、さらにライン入力端子からの映像信号及び音声信号とに対して、選択的に所定のデジタル信号処理を施し、グラフィック処理部５２及び音声処理部５３に出力している。
【００３６】
このうち、グラフィック処理部５２は、信号処理部４７から供給されるデジタルの映像信号に、ＯＳＤ（On Screen Display）信号生成部５４で生成されるＯＳＤ信号を重畳して出力する機能を有する。また、このグラフィック処理部５２は、信号処理部４７の出力映像信号と、ＯＳＤ信号生成部５４の出力ＯＳＤ信号とを選択的に出力すること、また、両出力をそれぞれ画面の半分を構成するように組み合わせて出力することができる。
【００３７】
グラフィック処理部５２から出力されたデジタルの映像信号は、映像処理部５５に供給される。この映像処理部５５は、入力されたデジタルの映像信号を、映像表示器１４で表示可能なフォーマットのアナログ映像信号に変換し、映像表示器１４に出力して映像表示させる。
【００３８】
上記音声処理部５３は、入力されたデジタルの音声信号を、スピーカ１５で再生可能なフォーマットのアナログ音声信号に変換し、スピーカ１５に出力して音声再生させる。
【００３９】
ここで、このデジタルテレビジョン放送受信装置１１Ａは、上記した各種の受信動作を含むその全ての動作を制御部５６によって統括的に制御されている。
【００４０】
制御部５６は、ＣＰＵ（Central Processing Unit）等を内蔵している。操作部１６からの操作情報を受けたとき、または、リモートコントローラ１７から送出された操作情報を受光部１８を介して受信したとき、制御部５６は、その操作内容が装置に反映されるように各部をそれぞれ制御している。
【００４１】
この場合、制御部５６は、主として、そのＣＰＵが実行する制御プログラムを格納したＲＯＭ（Read Only Memory）５７と、該ＣＰＵに作業エリアを提供するＲＡＭ（Random Access Memory）５８と、各種の設定情報及び制御情報等が格納される不揮発性メモリ５９とを利用している。
【００４２】
制御部５６は、カードＩ／Ｆ（Interface）６０を介して、第１のメモリカード１９が装着可能なカードホルダ６１に接続されている。これによって、制御部５６は、カードホルダ６１に装着された第１のメモリカード１９と、カードＩ／Ｆ６０を介して情報伝送を行なうことができる。
【００４３】
制御部５６は、カードＩ／Ｆ６２を介して、第２のメモリカード２０が装着可能なカードホルダ６３に接続されている。これにより、制御部５６は、カードホルダ６３に装着された第２のメモリカード２０と、カードＩ／Ｆ６２を介して情報伝送を行なうことができる。
【００４４】
制御部５６は、通信Ｉ／Ｆ６４を介して第１のＬＡＮ端子２１に接続されている。これにより、制御部５６は、第１のＬＡＮ端子２１に接続されたＬＡＮ対応のＨＤＤ２５と、通信Ｉ／Ｆ６４を介して情報伝送を行なうことができる。この場合、制御部５６は、ＤＨＣＰ（Dynamic Host Configuration Protocol）サーバー機能を有し、第１のＬＡＮ端子２１に接続されたＬＡＮ対応のＨＤＤ２５にＩＰ（Internet Protocol）アドレスを割り当てて制御している。
【００４５】
制御部５６は、通信Ｉ／Ｆ６５を介して第２のＬＡＮ端子２２に接続されている。これにより、制御部５６は、第２のＬＡＮ端子２２に接続された各機器（図１参照）と、通信Ｉ／Ｆ６５を介して情報伝送を行なうことができる。
【００４６】
制御部５６は、ＵＳＢ Ｉ／Ｆ６６を介してＵＳＢ端子２３に接続されている。これにより、制御部５６は、ＵＳＢ端子２３に接続された各機器（図１参照）と、ＵＳＢ Ｉ／Ｆ６６を介して情報伝送を行なうことができる。
【００４７】
上記制御部５６は、ｉ．Link Ｉ／Ｆ６７を介してｉ．Link端子２４に接続されている。これにより、制御部５６は、ｉ．Link端子２４に接続された各機器（図３参照）と、ｉ．LinkＩ／Ｆ６７を介して情報伝送を行なうことができる。
【００４８】
制御部５６は、録画制御部５６ａ、装置本体録画情報管理部５６ｂを有する。また他装置録画情報管理部５６ｃ、録画情報チェック部５６ｄを有する。また強制録画予約設定部５６ｅ、委託処理部５６ｆも設けられている。この制御部５６の各部の機能及び動作についてはさらに後で詳しく説明する。
【００４９】
上記した制御部５６と同じ機能は、テレビジョン放送受信装置１１Ａ、１１Ｂ、パーソナルコンピュータ１１Ｄ、専用記録再生装置１１Ｃのそれぞれに設けられている。
【００５０】
図５は、上記リモートコントローラ１７Ａの外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ等が設けられている。今すぐニュースキー１７ｐも設けられている。今すぐニュースキー１７ｐを押すと、グループ化して録画予約しているニュース番組の最新のものを視聴することができる。またちょっとタイムキー１７ｑ、スキップキー１７ｒも設けられている。このキーを押すと、例えばオンエアー放送中の番組視聴中に中座する場合、このキー１７ｑを押すと、一定時間の間は、その番組の録画を開始して一時保存を行うようになっている。そして、受信装置の場所にユーザーが戻ってきたとき、ちょっとタイムキー１７ｑを再度押すと、中座したときのシーンからの映像を再生させることができる。いわゆる追っかけ再生を行う。これによりユーザーは、視聴番組の内容を飛ばすことなく視聴できる。
【００５１】
図６は、このデジタルテレビジョン放送受信装置１１が、その端子２１〜２４に接続された各機器のうちのデジタル記録機器に番組を記録する動作を説明するフローチャートを示している。すなわち、番組の記録が要求されることにより処理が開始（ステップＳ１）されると、制御部５６は、ステップＳ２で、放送信号から取得したＥＰＧ（Electronic Program Guide）情報に基づいて、図７に示すような番組表を映像表示器１４に表示させる。
【００５２】
ユーザーは、ステップＳ３で、表示された番組表に基づいて所望の番組の録画予約を実行する。この録画予約では、記録すべき番組を番組表から選択するとともに、その番組を記録させるデジタル記録機器を選択設定することも行なわれる。
【００５３】
そして、制御部５６は、ステップＳ４で、録画予約した設定時間に達した場合、予約された番組を予約されたデジタル記録機器に記録するように、記録動作を実行する。
【００５４】
その後、制御部５６は、ステップＳ５で、番組記録動作が正常に完了したか否かを判別し、正常に完了したと判断された場合（ＹＥＳ）、ステップＳ６で、記録を行なったデジタル記録機器を特定するための機器情報（機器ＩＤ、機器名、共有フォルダ名等）と、その記録番組に関するイベント情報（イベントＩＤ、チャンネル番号、タイトル、内容説明、ジャンル、記録範囲、画質モード等）とを前記不揮発性メモリ５９に記録し、処理を終了（ステップＳ７）する。
【００５５】
また、ステップＳ５で番組記録動作が正常に完了しなかったと判断された場合（ＮＯ）、制御部５６は、ステップＳ８で、番組記録動作が正常に完了しなかった旨のメッセージを映像表示器１４に表示させて、処理を終了（ステップＳ７）する。
【００５６】
以上の記録動作により、ユーザーは、デジタルテレビジョン放送受信装置１１の各端子２１〜２４に接続されている複数のデジタル記録機器を任意に選択して、番組を記録させていくことが可能になる。
【００５７】
図８は、この発明の基本的な構成要素を取り出して示している。図３、図４に示したブロックに対応する部分には、図３、図４に示したブロックと同一符号を付している。
【００５８】
制御部５６は、録画番組を予め予約して記録媒体に記録するための録画制御部５６ａを有する。また装置本体で、録画予約番組の情報及び既に録画した番組の情報を管理するために、装置本体録画情報管理部５６ｂを有する。
【００５９】
また、装置本体録画情報管理部５６ｂは、最新情報送信処理部５６ｂ１を含む。この最新情報送信処理部５６ｂ１は、装置の電源がオンしたとき又は装置本体で録画する番組の録画予約情報が変更若しくは追加されたときに、新しい録画予約情報を前記他の記録再生装置へ伝送する。つまり、新しい録画予約情報を他の記録再生装置へ自動的に伝送することができる。
【００６０】
また他の装置の録画予約番組の情報及び他の装置で既に録画した番組の情報を管理するために、他装置録画情報管理部５６ｃを有する。他装置録画情報管理部５６ｃには、他の装置から録画予約情報がネットワークを介して送られてくるのでこの情報を管理する。そのために、更新処理部５６ｃ１を有する。
【００６１】
さらに制御部５６は、録画情報チェック部５６ｄを有する。この録画情報チェック部５６ｄは、装置本体で録画する番組のための録画予約情報が入力されたとき、他の記録再生装置の録画予約情報をチェックし、重複番組があるとき前記映像表示部に状況を表示する。
【００６２】
録画情報チェック部５６ｄが、他の記録再生装置の録画予約情報をチェックし、重複番組があることが前記映像表示部で状況表示されたとき、装置本体録画情報管理部５６に対して強制的に録画予約を設定する強制録画予約設定部５６ｅも設けられている。さらにまた録画情報チェック部５６ｄが、他の記録再生装置の録画予約情報をチェックし、重複番組があることが前記映像表示部で状況表示されたとき、他の記録再生装置に重複番組の録画及び保存管理を委託する委託処理部５６ｆも設けられている。
【００６３】
勿論、制御部５６には、ネットワーク接続された他の装置の管理部として、登録機器管理部５６ｇを有する。また他の装置との間でコンテンツの転送・受信を行なうことも可能であり、その送受信チェックを行なう送受信チェック部５６ｈを有する。ここでは、他の装置の接続確認及び他装置に対する電源オンオフ制御機能も含まれる。
【００６４】
図１に示したように各装置は、ルーターを介することで、家庭内ＬＡＮを構築し、各装置間で録画予約情報の交換をすることができる。また、制御部５６によりコントロールされる録画予約システムは、ＨＴＭＬ形式にデータベース化され、ユーザーが外出先からインターネットを介しチェックできるようになっている。
【００６５】
ここでは、装置識別コード、録画可能電子番組表情報、記録可能な媒体の種類、録画可能な容量、録画済みの番組等の情報を通信する手段に家庭内ＬＡＮが例に挙げているが、これに限定されるものではない。
【００６６】
図９（Ａ）−図９（Ｃ）は、上記した装置本体録画情報管理部５６ｂ、他装置録画情報管理部５６ｃに格納されている管理テーブルの例を分かりやすく示している。この管理テーブルはネットワークを介して各装置が共通に有する。また図に示すようにグラフィックユーザインターフェース（ＧＵＩ）を介して画面に管理テーブル（図９（Ａ）−図９（Ｃ））を表示することができる。
【００６７】
図９（Ｃ）は、ブロードバンド放送を受信している機器Ａの予約状況を示している。斜線を付した部分は、番組が録画予約されていることを示している。８時からアニメーションａ（以下アニメa）の番組を録画予約、９時から野球の番組を録画予約、１０時から野球の番組と音楽の番組を録画予約している。しかし、ここでは、機器Ａが実際に録画する番組は、音楽の番組であり、野球の番組は、機器Ｂ（図９（Ｂ））に委託されている。野球の番組は、機器Ｂが実際に録画する。
【００６８】
図９（Ｂ）は、ＣＳ／ＢＳ放送を受信し、その番組を録画可能な機器Ｂの録画予約情報を示している。この情報は、機器Ｂが８時からアニメaの番組を録画予約、９時からドラマの番組を録画予約、１０時から野球の番組とアニメｂの番組を録画予約していることを示している。しかし、ここでは、機器Ｂが実際に録画する番組は、野球の番組であり、アニメｂの番組は、機器Ｃ（図９（Ａ））に委託されている。アニメｂの番組は、機器Ａが実際に録画する。
【００６９】
図９（Ａ）は、地上波アナログ方法およびデジタル放送（Ａ／Ｄ放送）を受信する機器Ｃの録画予約情報を示している。機器Ｃは、８時からアニメaの番組を録画予約、９時からドラマの番組を録画予約、１０時から野球とアニメｂの番組を録画予約していることを示している。しかし、ここでは、機器Ｃが実際に録画する番組は、アニメｂの番組であり、野球の番組は、機器Ｂ（図９（Ｂ））に委託されている。野球の番組は、機器Ｂが実際に録画する。
【００７０】
これによりユーザーは、図９（Ａ）−（Ｃ）の録画予約情報のテーブルを画面に表示することで、どの機器で何を予約しているのかを一目で知ることができる。
【００７１】
図１０は、機器Ｂ（図１の装置１１Ｂ）において、ある番組が予約された場合の動作を示すフローチャートである。すなわち、処理が開始されると（ステップＳ９）、ステップＳ１０で機器１１Ｂにおいて、番組の予約の要求がされたかどうかの判定がなされる（ステップＳ１０）。番組の予約要求が行なわれた場合、ルーター１７を介して接続された登録された装置が存在するかどうかの判断がなされる（ステップＳ１１）。つまり図１で示したように他の装置１１Ａ，１１Ｃ，１１Ｄが存在するかどうかの判断が行なわれる。各装置１１Ａ，１１Ｃ，１１Ｄは、TCP/IP等の通信プロトコルに対応しており、ルーターに接続されたネットワーク装置はＩＰアドレスによって接続状態が確認される（ステップＳ１１）。
【００７２】
ここで、例えば装置１１Ａの電源がオフ（ＯＦＦ）になっている場合、装置１１Ａ予約情報は通知されない、その為ステップＳ１２で、各登録された装置の電源がオンしているかどうかのチェックが行なわれ、電源オフの装置が有る場合は、強制的にオンする（ステップＳ１３）。
【００７３】
登録された装置であって、ネットワーク接続され、かつ、電源がオンしている装置１１Ａ、１１Ｃなどに対して、装置１１Ｂは、今番組予約した最新の情報を送付する（ステップＳ１４）。そして、各装置が録画予約情報を受け取ったかどうかの判定を行い、処理を終了する。
【００７４】
何らかの理由で他の装置がデータを受け取れなかった場合、未受信の他の装置に対する未受信予約情報が一時的に保留され、ある一定期間の間は、未受信の装置に対して定期的に情報を送信するリトライ処理が行なわれる。そして、ある一定回数のリトライが失敗した場合、あるいはある一定期間が過ぎたら未受信予約情報が破棄される。
【００７５】
図１１は、ネットワーク機器（例えば装置１１Ｂとする）内で、予約の重複がないかを確認する場合の動作を示すフローチャートである。すなわち、処理が開始されると（ステップＳ２１）、予約処理が選択されているかどうかのチェックが行われる（ステップＳ２２）。このとき、グラフィックユーザインターフェース（ＧＵＩ）を利用して、ＥＰＧ画面が表示され、例えば番組Ｗ１の録画予約が実行されようとしているとする。このときは、他の装置（装置１１Ａ、１１Ｃ，１１Ｄ）で同じ番組Ｗ１が録画予約されているかどうかのチェックが行なわれる（ステップＳ２３）。予約番組Ｗ１が重複する場合は、ＧＵＩを通じて、ユーザーに予約番組の重複を通知する（ステップＳ２４）。
【００７６】
ここでユーザーは、予約を実行するかどうかを判定することになる（ステップＳ２５）。予約を実行する場合は、例えば、画面上に表示される「予約実行」という選択ボタンをカーソルで選択し、リモートコントローラの決定キーを押すことで予約が実行される。このときは、他の装置と同じ番組が重複して予約されることになる（ステップＳ２６）。しかし、ユーザーが予約を実行せず、例えば、画面上に表示される「録画委託」という選択ボタンをカーソルで選択し、リモートコントローラの決定キーを押すことで、その番組Ｗ１の予約は、既に録画予約している他の装置に委託されることになる。
【００７７】
このときは、番組Ｗ１を予約済みの装置（例えば装置１１Ａ）に対して、コンテンツの保護を通知する（ステップＳ２７）。例えば、録画が完了した時にGUI上で他の機器から重複予約があった事を表示させる。
【００７８】
したがって、装置１１Ａにおいて、同番組の録画データを消去しようとした場合に、ユーザーに他の装置１１Ｂから重複の予約があった番組である事を通知した後に録画データの消去を行うか選択させる。予約が重複した番組は、NAS,DLANの方式でデータの重複を希望した装置（この説明の場合は装置１１Ｂ）に転送して視聴する事もできる。
【００７９】
または、元々の番組を予約、録画した機器にて他のメディア（DVD-RAM等）に記録していれば、その行為が重複予約を希望した装置に通知することもできる。このように構成すれば、委託側のユーザーは、番組が記録されたメディアを、被委託側のユーザーから借用して視聴する事もできる。
【００８０】
上記の様に、この発明の装置であれば、それぞれの機器の録画できる放送メディアの形態をＥＰＧ，ＧＵＩを介して知る事ができる。録画する番組を複数の装置間で重複して録画する必要がなく、番組録画を効率的に行うことができ、記録媒体も効率的に利用することができる。
【００８１】
また図９で示したように他の複数の装置における番組予約状況を、把握することが可能である。このために、例えば自分で受信できない番組であっても、他の装置が予約録画していることを認識すれば、希望の番組を転送してもらい、当該番組を視聴することも可能である。また自分で録画予約を忘れていた場合でも、他の装置が録画していれば、当該番組の転送を要求して、当該番組の視聴を行なうことが可能である。
【００８２】
例えば装置１１Ａが、装置１１Ｄにて受信されるブロードバンド放送を予約すれば、装置１１Ａで受信できなかった番組を装置１１Ｄから転送してもらって装置１１Ａで視聴することができる。
【００８３】
ただこの場合は、装置１１Ｄ側で他のユーザーの視聴を妨げる事も予想されるので、録画条件のプライオリティを管理する必要がある。つまり、装置１１Ｄ側のユーザーがブロードバンド放送の視聴を開始する場合は、自動的に録画をタイムシフトに切り替えて視聴させたりする事が必要であったり、録画事態を中止して、機器Ａ側のユーザーの視聴を優先づけるようにしてもよい。また、ネットワーク共有EPGデータをHTMLの形式で記述すれば外部からのリモート制御も簡単に行える。
【００８４】
この上記の録画予約システムのさらなる有効な使用用途としては、それぞれの装置の録画予約状態を監視する事で、ネットワークのそれぞれの装置に蓄積された番組データをもれなくそれぞれのユーザーが共有できる点にある。ならびに、重複するコンテンツが削減されることでより多くの異なる番組を録画する事ができる。
【００８５】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００８６】
【図１】この発明が適用されたネットワークの基本的な構成例示す説明図である。
【図２】デジタルテレビジョン放送受信装置の外観を示す図である。
【図３】この発明が適用されたデジタルテレビジョン放送受信装置の概要を説明するために示した図である。
【図４】図２のデジタルテレビジョン放送受信装置の信号処理系統さらに具体的に示す構成説明図である。
【図５】この発明の装置で使用されるリモートコントローラの概略を説明するために示した説明図である。
【図６】図２の装置がＥＰＧ情報に基づいて番組を記録する際の動作を説明するために示したフローチャートである。
【図７】図２の装置において映像表示器に番組情報が表示された際の例を示す説明図である。
【図８】この発明の一実施の形態に係わる制御部の基本的な構成を示す図である。
【図９】この発明にかかる装置の動作例を説明するために示したＧＵＩ画面の例を示す説明図である。
【図１０】ある番組が予約された場合の動作を示すフローチャートである。
【図１１】ネットワーク機器内で、予約の重複がないかを確認する場合の動作を示すフローチャートである。
【符号の説明】
【００８７】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ｉ．Link端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…グラフィック処理部、５３…音声処理部、５４…ＯＳＤ信号生成部、５５…映像処理部、５６…制御部、５７…ＲＯＭ、５８…ＲＡＭ、５９…不揮発性メモリ、６０…カードＩ／Ｆ、６１…カードホルダ、６２…カードＩ／Ｆ、６３…カードホルダ、６４…通信Ｉ／Ｆ、６５…通信Ｉ／Ｆ、６６…ＵＳＢ Ｉ／Ｆ、６７…ｉ．Link Ｉ／Ｆ、９９…ルーター。
【図１】
0004427490.tif 000002
【図２】
0004427490.tif 000003
【図３】
0004427490.tif 000004
【図４】
0004427490.tif 000005
【図５】
0004427490.tif 000006
【図６】
0004427490.tif 000007
【図７】
0004427490.tif 000008
【図８】
0004427490.tif 000009
【図９】
0004427490.tif 000010
【図１０】
0004427490.tif 000011
【図１１】
0004427490.tif 000012